(57)【要約】［課題］シャツにボタンに代ってジップファスナーの時代がやってくる。ワイシャツもその流れに乗せてみたい。［解決手段］ワイシャツや台衿付転換衿シャツにおいて、前開きの打合せを閉じる方法として、（ジップ）ファスナーを使用するにおいて、オープンファスナーを台衿の衿元まで縫い付け、そのファスナーの務歯を蓋って隠すにおいて、従来のように前立ての上端を台衿の下側の中に入れて縫い付けるのではなく、その前立ての上端部を台衿の上に衿元まで前身頃から比翼に縫い付けてもよいし、また前立てを比翼にしてその下側にオープンファスナーを縫い付けたものを前身頃から台衿の衿元まで縫い付けてもよい、ジップワイシャツおよびジップタイレスシャツと呼ぶことにする、ファスナー開閉式のワイシャツおよびタイレスシャツ。【選択図】なし。【特許請求の範囲】
【請求項１】
ワイシャツ（前明きで、台衿、カフス、前立ての付いたシャツ）や台衿付転換衿シャツにおいて、前開きの打合せを閉じる方法として、（ジップ）ファスナーを使用するにおいて、オープンファスナーを前身頃から台衿の衿元まで縫い付け、そのファスナーの務歯を蓋って隠すにおいて、従来のように前立ての上端を台衿の下側の中に入れて縫い付けるのではなく、その前立ての上端部を台衿の上に衿元まで前身頃から「比翼（フライフロント）（新版図解服飾用語事典（鎌倉書店）２５４頁）（洋裁でボタンをかける所を二重にして、ボタンが見えないように仕立てること（広辞林第五版・三省堂））」に縫い付けてもよいし、また前立てを比翼にしてその下側にオープンファスナーを縫い付けたものを前身頃から台衿の衿元まで縫い付けてもよい、ジップワイシャツおよびジップタイレスシャツと呼ぶことにする、ファスナー開閉式のワイシャツおよびタイレスシャツ。
【請求項２】
「請求項１」におけるファスナー開閉式のワイシャツおよびタイレスシャツそして従来のワイシャツにおいて、カフスの位置を調節できるように袖に、上端部に面ファスナーを縫い付けた細めのバンドをその下端部で以て縫い付け、その上端部に面ファスナーを縫い付けて、そのバンドがカフスの位置を調節しうるようにバンドの面ファスナーに対応する面ファスナーを袖の上腕のバンド縫い付け位置より上の位置に縫い付けた、カフスアジャスター付のワイシャツおよびタイレスシャツ。
【請求項３】
「請求項１」のジップワイシャツやジップタイレスシャツと同じように、ポロシャツの前開きの開閉をファスナー化するにおいて、前開きに前立てか裏立てを設けて比翼にするにおいて、その二重の下側に務歯が上側で以て隠れるようにファスナーを縫い付けた、ジップポロシャツと呼ぶことにする、ファスナー開閉式ポロシャツ。
【発明の詳細な説明】
【０００１】
［発明の属する技術分野］
本日、「週刊新潮５月１５日号」を求めた。青木功の写真（頁１２０）を見ると、ゴルフシャツがボタンに代ってファスナーになっている。
時代は、着用上も縫製上も容易性の高いファスナーにボタンは代って行っているとことを実感した。
【０００２】
［従来の技術］
そこで、私は、これはワイシャツもファスナーに移っていかなくてはならないと直感した。
近年の大不況でビジネスマンは急減し、スーツは売れず、従ってワイシャツもネクタイも売れない。デパートで最も衰退した売場と言えば、スーツとワイシャツとネクタイの売場である。
服装がカジュアルに走る中で、布地はテキスタイルに代ってニットへと移ってきた。ニット物の良いところはノーアイロンで行けるところである。テキスタイル物はどうしてもアイロンを掛けなくてはならないので、クリーニングに出さなくてはならない。
今日、クリーニング代金は１００円と低下し、毎日出したとしても月に３０００円にしか過ぎず、さして負担を感じる額ではない。
私は、昭和６１年６月２７日に「台衿付転換衿シャツ」を実用新案登録出願しているが、その中で「カッターシャツにネクタイを締め、背広を着ける、所謂ビジネススタイルから時折脱して、ノーネクタイの背広姿で出かけてみたい。背広の下にノーネクタイでカッターシャツを着たのでは、ビジネススタイルから単にネクタイを外しただけで、心から改まった感じがなく、何か心に障る。背広の下に背広によく合うネクタイのいらないシャツを着けたい。そこで我々は開衿シャツやコンバーチィブルカラー（転換衿）シャツを着てみる。しかしこれらのシャツの衿は、続き裁ちの一枚衿で、カッターシャツのように台衿が付いてなく、どうしても衿が背広の衿の下に沈んでしまうし、又衿が首に上手く巻き付かず、どうしても着じわが出る。これらのシャツは衿の付け止まり即ち衿元にカッターシャツのように台衿がのぞいていないので、衿元が低くなり、そこがすっきりしてみえる。そこで本考案を考案し、コンバーティブルカラーシャツの短所を補い、長所を活かすようにしたい。
本考案は、「転換衿（コンバーティブルカラー）のシャツの衿の衿腰部分を台衿にして、台衿の付け線の曲線より上衿の付け線の曲線をより強くした台衿付転換衿シャツ」（実用新案登録請求の範囲）である。
本考案だと、従来の上衿と衿腰の続き裁ちの衿と違って、衿腰部分と上衿とを切り離して裁つことができるので、上衿を首によくフィットするように裁断でき、着心地のよい衿の転換衿シャツとなる」。
【０００３】
［発明が解決しようとする課題］
このように、私は１７年も前からテキスタイル物に拘わってきた。
しかし、前にも述べたように、時代は益々ニットに回天している。ニットは伸縮性があるので、テキスタイルよりはＳ、Ｍ、Ｌと言うような大雑把なサイズ分けが可能であり、それだけ売場に在庫を持たずに済み、売れ残りの危険性は少なくて済む。
テキスタイル物は、首回りだけを採ってみても１ｃｍ刻みとなっており、それに袖丈を何種類か組み合わさなくてはならない。
【０００４】
［課題を解決するための手段］
そこで、このテキスタイル物の首回りサイズを大刻みにし、袖は袖丈自在吊り（カフスアジァスター）を縫い付けて、例えば、４１ｃｍの首回りには７９〜８３ｃｍくらいまでが自在に調節できるようにしたいと考えた。
【０００５】
［発明の実施の形態］
本発明は、「特許請求の範囲」に簡潔に述記してある。
【０００６】
［発明の効果］
今日、オフイスは、公共も民間も尚スーツ姿が支配的である。
公・民の新入職員を見ても、尚変わることなく、所謂リクルートスタイルである。苦しい経済状態なので、誰も着飾ることはできないが、昔の軍服や国民服のように、一スタイル一色に若者や従業員を統一したいと言う特に大企業の経営者の在り方は、今日の我国の経済に見られるような、我国経済の物と組織に新機軸を全く喪失させている根本的思想の現れである。
その根本思想のベースは「我々は貧しい者たちだ」と言うにある。この貧しき者が共に生きるには、自分たちの生きるための思想と生活手段を水平に同和しなくてはならないと主張する。そして、終には豊かな人たちまでも水平に同和させなくてはならないと原理的には主張し続ける。
それでありながら、経済活動は市場原理中心主義でゆくのだと言う。そして、それをグローバルに敷衍して行くと言う。
よく考えてみれば、何が何だか全く解からない主義と理屈である。
こう言う思想を支配的に世界的にしているバックグランドは株式相場をどうかして下げたくないと言う希望にあるようである。
そのためには、世界戦争までも誘発して株価を維持したいとまで願うらしい。こう言う思惑のよってきたるところは、今日の世界の支配階級が動産や不動産の物として資産を形成するのではなく、支配権の象徴である株式で財産を保有しているからであろう。
支配権さえあれば、物や思想の所有権はなくても国を否世界を支配し続けうると思っているらしい。世界経済が疲弊し、各国の国民生活が苦しくなればなるだけその支配を強化しうると考えているように思える。即ち、新しい物と組織の創造を阻害することが公然と「見えない手品」を使って行なわれている。
そして、世界の先進国の殆どがその手品の使い手に食い荒らされ、殆どが回復不可能なまでに衰退し荒廃している。
その手品の使い手は、常に後進性国の労働力を求めてグローバル化して来た。その手口は、後進性国に債権を持たしさえすれば、その国の労働力と資源が簡単に手に入ると考え、事実そのように侵出して行った。
貧しい人たちが必死にその貧困から這い出したいとする意欲とその人たちの資源と伝統文化を上手く略奪し続けた。
特に、我国は、そのアメリカ主義に染まってしまい、その子分となって、後進性国からの略奪で食って行けるとして来たし、未だにその思いから抜け出ず、何か支配の手品に合った妄想思想と妄想商品の開発に年々巨額を投じ続けて止める気配を知らない。
しかし、今はまだ兆しではあるが、その手品に操られて債権を拡大し続けても、自分たちの実生活では生活物資不足に陥ってちっとも生活向上しないことを知り始めた。昔の我国の戦時経済が国民総生産の大拡大となり、生産経済は大繁栄し、国民は大変な所得に恵まれたが、生活物資の生産に手が回らなかったために国民生活の貧困は全く改善しなかったのに全く似た現象を呈している。それは、ますます低賃金労働の強制へと進んで、尚一層の略奪の目に会うことになる。
我国は、それとは少し違うが、今見たアメリカの子分となって国内資本は逃避し続け、国民の生活物資の内国生産は縮小し、生活物資を海外に頼るようになればなるだけ、反対給付の輸出は強制され、然もその輸出品は側だけが国産で中身は殆ど侵略国産と化しており、その輸入増はますます箱だけの生産輸出を強制することになり、ますます国内資本は低賃金を求めて国外に侵略せざるを得なくなっているように見える。
このように、後進性国の国民は、生活物資に不自由を強いられながらも、株式と言う紙切れを持つことに国民経済の向上を感じ、それこそ真の財産を手にしたと思い込まされた。
自分の生活を少しでも人並みに豊かにしたいとすることこそ古今東西各国民に広く望まれてきた真の公平思想であるが、今やそれは全く忘却され、手元の株価の上下だけが経済活動の最も大きな中心であるかに思えていた。
我国でも、もう４０年以上も、国民にとって最も重要な今の問題は、健全で可なり豊かな働きと稼ぎの経済生活ではなく、年々過剰となっ来た株式の価格を如何に上げ続けるかだけが最重要なそれぞれの国民の問題であるかに、電波と同和（対策で生活し続ける人たち）不良ストーカーとを使った錯乱盲目状態化の演出で以て思い込まされ続けてきた。
今や、食糧の自給率は３０％を割り、資源・エネルギーは０％である我国経済は後進性国の目覚めに会い根底から揺らぎ始めている。
戦後の一時期、都会の飢えた人たちが食糧と交換しうる物資とその生産手段を全く失って、全くの乞食同然にならざるを得なかったのと同じような辛酸を再び嘗める時が近づきつつある。
具体的には、都会の工場がどこもかしこも機械設備をどこか外国に持ち去られ殆ど全くの空となり、労働者は自室に電波とストーカーとによって軟禁され、私のこう言う論文としゃべりに日々の経過を意識できなくされている。
この現状を今直ぐ解消できる方法はないが、電波とストーカーの生活妨害が中止され、少し社会に明るさが出ると、まだ少しゆとりのある人たちが街に出る機会が増し、経済は少しずつ公共主導から民間主導に転換して行き、国債発行資金確保のために国民総消費を抑え続けてきた経済から少しずつ脱出して行けよう。。その消費の主導役は食生活であり、国内の食糧増産を伴う必要がある。
食糧生産は戦後から今日まで歳を経るに従って海外依存性を高め、先に見たような３０％を割る自給率となっているが、そのため、米も野菜も果物も家畜もアメリカなどに比べて品種改良に破れ、全て全く競争力を失っている。公共的に見れば、殆どの農業水産試験場が伝統ある姿を消し去ってしまっている。
政府が余りにも近視眼的となり、公共土建事業とデジタル化的国民支配に妄想的となり、遠望視力を全く喪失してしまって来たからである。
今や、何時も述べることではあるが、「人は如何にあるべか」即ち人間性を保ち続けるには如何に経済政治があるべきか、そのためには、「人は基本的に何を必要とするか」を常に一般国民も指導者も自省するフイードバック性を持たねばならない。
最近、小泉首相は、ニュース番組で、国民に「自立・自律」を説いた。国民は誰しも、自分の自主的な働きによって生計を立てて行かねばならない。その生活過程において、出くわす諸々の問題に対して自己の判断で正しく対処できるようになって貰いたい」に要望した。自ら立ち、自ら律して生きなければならない新しい時代のの来たことを国民に自覚させた。
そのためには、道徳（ある社会で人々がそれによって善悪・正邪を判断し、正しく行為するための規範の総体。法律と違い外的強制力としてではなく、個々人の内面的原理として働くものをいい、また宗教と異なって超越者との関係ではなく人間相互の関係を規定するもの）教育を小学校から行なって、人間のふみ行なうべき正しい道とそれに叶う行為を授業して、これからの日本人として自らを律することの出来る人間作りに国は全力を挙げて真剣に取り組むべきである。
そして、そのように難難に打ち勝つ強い精神を健全に生涯を通じて維持しうるためには、人間の社会生活において経済的に他人と連携して生きて行ける生活力を最低限でも身に付けさせることが大切である。私は、小学校からの技能教育が是非とも必要であると、道徳教育の必要性と共にもう数十年も説いてきた。
政府刊行物から推すと、政府は道徳教育には従来に倍する力を入れんとしているようであるが、まだ、小学校からの技能教育には着手しようとしていないようである。
我国は、資源・エネルギーの自給率は零であり、食糧も３０％を割る状態であることは既に述べた通りである。小学校から人権だけを自己本位に主張させて何の能もない遊び人を莫大な経費を以て作り出しているゆとりは全く無い。戦後の一時期主張出来たように、また再び平均的に見ても世界一の水準にある労働力を創造しなくてはならない。第三の波、通信による経済の縮小的効率化を求める時代は明らかに達成不可能に終わった。
それを可能にするとされて来た新エネルギーと電波のより広範な権力的な使用を可能とするかに見えたデジタル化は電波の性質としても不可能であり、それに要する人員の点から見ても可能なことではないことが広く理解されてきた。電波は見えないマジックの手段とはなるが、そのオペレーターが陰に潜んで得をするには莫大な犯罪者やその予備軍を必要とし、社会の存立を根底から破壊してしまうことが明らかになり、国民の理解するところとなった。もうこれ以上の破壊社会を維持させてくれる盲目で安価な労働力は世界のどこを探しても存在しえなくなってきた。
前に述べたように、株券を持てさえすれば、生活向上感を抱けると言う、資本家主義では決してない、資本主義の絡繰りに踊らされる世間ずれしていない無知な国民を擁する資本主義的に未開の旧共産圏の新資本属国たる国は残っていない。
自然環境に恵まれ、農産物の豊かな国は、譬え科学技術的に後進であっても、農産物生産の衰退を招く都会化を推し進めてしまった国を決して豊かな増してや理想の国とは見なくなってきた。人間の生命の再生産の根源は安全な食糧にあることを今こそ知った時代はない。
その食糧に常に余剰を生産しておれば、小型な車などの文明品を十分手にすることが出来ることが今や判ってきたのである。昔は彼らの知る車と言えば、アメリカの途方もない石油を食う大型車であった。今は全く違ってきた。１０００ｃｃ以下の超小型車が彼らの目を引く時代になった。私は、今より遙に燃費のよいそして彼らの収入の範囲内で買える超小型車を提供したいとこのところずっと頑張っている。
私は、スペインに車メーカーがあることを知らなかったが、恐らく南北アメリカのスペイン語圏に輸出するのであろう、統計で見ると、スペインは可なり車を輸出している。
農業国と資源・エネルギー国にそれらの国の産物と快く進んで交換して貰えるその人たちの生活に合った安くて然も先進的な文化製品とその生産手段を提供しうるようにならなくてはならない。我国はアメリカと言う森ばかり見て、又その他の国の木ばかり見て真の森を見ようとしなかった。アメリカに合わせるの余り輸出商品開発は硬直化に陥っていた。日本が真に求めるべき新しい森の開拓にこれからは全力を挙げなくてはならない。
本発明も、しゃれた先進的な輸出製品にもなるように開発して見たい。多くの関係業界と優秀なデザイナー始め多くの協力者に期待している。